(57)【要約】  【課題】低騒音運転の静音制御運転が可能な空気調和機を提供する。  【解決手段】回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、前記室内温度が第１所定温度以上であるとき、前記圧縮機の回転数を所定回転数以下に抑制し、使用者が騒音により不快に感じるのを軽減する。【選択図】  図５
2005147504.tif 000002
【特許請求の範囲】
【請求項１】
回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、前記室内温度が第１所定温度以上であるとき、前記圧縮機の回転数を所定回転数以下に抑制する静音制御運転を行うことを特徴とする空気調和機。
【請求項２】
回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、設定温度と前記室内温度との温度差が第２所定温度以下であれば、前記圧縮機の回転数を所定回転数以下に抑制する静音制御運転を行うことを特徴とする空気調和機。
【請求項３】
回転数可変の圧縮機を含む冷暖房運転が可能な空気調和機において、時刻を計時するタイマーと、室外温度を検知する室外温度検知手段と、室内温度を検知する室内温度検知手段と、前記室外温度検知手段および室内温度検知手段からの温度信号並びに前記タイマーからの計時信号により前記圧縮機を制御する制御部とを備え、
前記制御部は、少なくとも通常運転モードとタイマー運転モードとで運転制御可能とされると共に、暖房運転開始時に、
ア）前記室内温度が第１所定温度以上
イ）設定温度と前記室内温度との温度差が第２所定温度以下
ウ）前記室外温度が第３所定温度以上
エ）運転モードがタイマー運転モード
オ）時刻が第１所定時刻から第２所定時刻の間
のいずれかの条件を満たせば、前記圧縮機の回転数を所定回転数以下に抑制する静音制御運転を行うことを特徴とする空気調和機。
【請求項４】
時計機能を備えた遠隔操作装置が設けられ、前記制御部は、前記遠隔操作装置から送信される時刻信号を受けて圧縮機の回転数を制御することを特徴とする請求項３に記載の空気調和機。
【請求項５】
前記制御部は、前記圧縮機の回転数を所定回転数以下に抑制する静音制御運転が第１所定時間以上続いた後、前記所定回転数よりも高い回転数で圧縮機を運転する要求が第２所定時間以上継続したとき、前記圧縮機の回転数を徐々に上昇させることを特徴とする請求項１から４のいずれか一項に記載の空気調和機。
【請求項６】
回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、前記室内温度が第１所定温度未満であれば、前記圧縮機を通常運転回転数で運転制御し、前記室内温度が前記第１所定温度以上であれば、前記圧縮機を通常運転回転数に所定割合を乗算した回転数で運転制御することを特徴とする空気調和機。
【請求項７】
回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、設定温度と前記室内温度との温度差が第２所定温度より大きければ、前記圧縮機を通常運転回転数で運転制御し、設定温度と前記室内温度との温度差が前記第２所定温度以下であれば、前記圧縮機を通常運転回転数に所定割合を乗算した回転数で運転制御することを特徴とする空気調和機。
【請求項８】
回転数可変の圧縮機を含む冷暖房運転が可能な空気調和機において、時刻を計時するタイマーと、室外温度を検知する室外温度検知手段と、室内温度を検知する室内温度検知手段と、前記室外温度検知手段および室内温度検知手段からの温度信号並びに前記タイマーからの計時信号により前記圧縮機を制御する制御部とを備え、
前記制御部は、少なくとも通常運転モードとタイマー運転モードとで運転制御可能とされると共に、暖房運転開始時に、
ア）前記室内温度が第１所定温度以上
イ）設定温度と前記室内温度との温度差が第２所定温度以下
ウ）前記室外温度が第３所定温度以上
エ）運転モードがタイマー運転モード
オ）時刻が第１所定時刻から第２所定時刻の間
のいずれかの条件を満たさないときは、前記圧縮機を通常運転回転数で運転制御し、前記条件のうち少なくとも１つを満たせば、前記圧縮機を通常運転回転数に所定割合を乗算した回転数で運転制御することを特徴とする空気調和機。
【請求項９】
時計機能を備えた遠隔操作装置が設けられ、前記制御部は、前記遠隔操作装置から送信される時刻信号を受けて圧縮機の回転数を制御することを特徴とする請求項８に記載の空気調和機。
【請求項１０】
前記制御部は、圧縮機を通常運転回転数に所定割合を乗算した回転数で運転する運転が所定時間以上続いた後、設定温度と前記室内温度との温度差が第４所定温度以上であれば、前記所定割合を徐々に上昇させることを特徴とする請求項６から９のいずれか一項に記載の空気調和機。
【発明の詳細な説明】
【技術分野】
【０００１】
本発明は、ヒートポンプ式の空気調和機に関し、さらに詳細には、暖房運転時における圧縮機の制御に関するものである。
【背景技術】
【０００２】
特許文献１では、周囲環境に対応して運転を行う通常運転モードと、低騒音で運転する低騒音モードとを備え、外気温度が基準温度より低い場合に通常運転モードから低騒音運転モードに切替える空気調和装置が開示されている。
【０００３】
特許文献２では、２４時間タイマーを設け、２４時間以内に検出された室外温度の平均温度を基準温度とし、この基準温度より室外気温が低くなると、圧縮機または室外ファンの少なくとも一方を制御して運転音を抑制する冷凍装置が開示されている。
【特許文献１】特開２０００−２３４７８４号公報（要約参照）
【特許文献２】特開２００１−２７２０８７号公報（明細書の段落０００８〜０００９参照）
【発明の開示】
【発明が解決しようとする課題】
【０００４】
しかしながら、特許文献１および特許文献２に記載されている空気調和機では、昼間であっても室外気温が基準温度より低いと、早く室内を暖めたい場合でも低室外気温の空気負荷にて暖房能力を減じる上に、暖房能力を低減させた低騒音運転を行ってしまい、室内がなかなか暖まらないという不都合が生じる可能性がある。
【０００５】
また、他の音の静かな暖房器具(例えば、オイルヒータ)などにて、すでにある程度、室内が暖まっている場合でも、騒音の大きな通常運転を行ってしまうため、使用者や近隣の居住者に不快感を与える可能性がある。
【０００６】
本発明の目的は、このような従来の課題を解決し、低騒音運転、すなわち静音制御運転が可能な空気調和機を提供することにある。
【課題を解決するための手段】
【０００７】
上記目的を達成するため、本発明は、回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、前記室内温度が第１所定温度以上であるとき、前記圧縮機の回転数を所定回転数以下に抑制する静音制御運転を行うことを特徴としている。
【０００８】
上記構成においては、冷房運転に比べて圧縮機の回転数が高くなる暖房運転開始時に、室内温度が第１所定温度以上であるとき、圧縮機の回転数を所定回転数以下に抑制する静音制御運転を行うので、使用者が騒音により不快に感じることを軽減できる。
【０００９】
また、本発明は、回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、設定温度と前記室内温度との温度差が第２所定温度以下であれば、前記圧縮機の回転数を所定回転数以下に抑制する静音制御運転を行うことを特徴としている。
【００１０】
上記構成においては、暖房運転開始時に、設定温度と前記室内温度との温度差が第２所定温度以下であれば、前記圧縮機の回転数を所定回転数以下に抑制する静音制御運転を行うので、使用者が騒音により不快に感じることを軽減できる。
【００１１】
また、本発明は、回転数可変の圧縮機を含む冷暖房運転が可能な空気調和機において、時刻を計時するタイマーと、室外温度を検知する室外温度検知手段と、室内温度を検知する室内温度検知手段と、前記室外温度検知手段および室内温度検知手段からの温度信号並びに前記タイマーからの計時信号により前記圧縮機を制御する制御部とを備え、前記制御部は、少なくとも通常運転モードとタイマー運転モードとで運転制御可能とされると共に、暖房運転開始時に、ア）前記室内温度が第１所定温度以上、イ）設定温度と前記室内温度との温度差が第２所定温度以下、ウ）前記室外温度が第３所定温度以上、エ）運転モードがタイマー運転モード、オ）時刻が第１所定時刻から第２所定時刻の間、のいずれかの条件を満たせば、前記圧縮機の回転数を所定回転数以下に抑制する静音制御運転を行うことを特徴としている。
【００１２】
上記構成においては、暖房能力より騒音抑制を優先する運転をおこなうための判断条件を多数設けることにより、多様な環境状況に応じた運転制御を使用者に提供することができる。
【００１３】
なお、前記制御部は、時計機能を備えた遠隔操作装置から送信される時刻信号を受けて圧縮機の回転数を制御することもできる。
【００１４】
また、前記制御部は、前記圧縮機の回転数を所定回転数以下に抑制する静音制御運転が第１所定時間以上続いた後、前記所定回転数よりも高い回転数で圧縮機を運転する要求が第２所定時間以上継続したとき、前記圧縮機の回転数を徐々に上昇させることができる。
【００１５】
これにより、圧縮機の回転数を徐々に上昇させることで騒音をできるだけ抑えながら、暖房能力の不足を補うことができる。
【００１６】
次に、前記静音制御運転モードにおいては、低騒音の運転を行いながら、ある程度周囲環境負荷に応じた圧縮機の回転数とするのが望ましい。そこで、本発明では、静音制御運転モードにおいては、通常運転回転数に所定割合を乗算した回転数で運転制御するようにしている。
【００１７】
すなわち、本発明は、回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、前記室内温度が第１所定温度未満であれば、前記圧縮機を通常運転回転数で運転制御し、前記室内温度が前記第１所定温度以上であれば、前記圧縮機を通常運転回転数に所定割合を乗算した回転数で運転制御することを特徴としている。
【００１８】
また、本発明では、回転数可変の圧縮機を含む冷暖房運転が可能な空気調和機において、室内温度を検知する室内温度検知手段と、該室内温度検知手段からの信号により圧縮機を制御する制御部とを備え、前記制御部は、暖房運転開始時に、設定温度と前記室内温度との温度差が第２所定温度より大きければ、前記圧縮機を通常運転回転数で運転制御し、設定温度と前記室内温度との温度差が前記第２所定温度以下であれば、前記圧縮機を通常運転回転数に所定割合を乗算した回転数で運転制御することを特徴としている。
【００１９】
さらに、本発明では、回転数可変の圧縮機を含む冷暖房運転が可能な空気調和機において、時刻を計時するタイマーと、室外温度を検知する室外温度検知手段と、室内温度を検知する室内温度検知手段と、前記室外温度検知手段および室内温度検知手段からの温度信号並びに前記タイマーからの計時信号により前記圧縮機を制御する制御部とを備え、前記制御部は、少なくとも通常運転モードとタイマー運転モードとで運転制御可能とされると共に、暖房運転開始時に、ア）前記室内温度が第１所定温度以上、イ）設定温度と前記室内温度との温度差が第２所定温度以下、ウ）前記室外温度が第３所定温度以上、エ）運転モードがタイマー運転モード、オ）時刻が第１所定時刻から第２所定時刻の間、のいずれかの条件を満たさないときは、前記圧縮機を通常運転回転数で運転制御し、前記条件のうち少なくとも１つを満たせば、前記圧縮機を通常運転回転数に所定割合を乗算した回転数で運転制御することを特徴としている。
【００２０】
また、前記制御部は、圧縮機を通常運転回転数に所定割合を乗算した回転数で運転する運転が所定時間以上続いた後、設定温度と前記室内温度との温度差が第４所定温度以上であれば、前記所定割合を徐々に上昇させることができる。
【発明の効果】
【００２１】
以上のとおり、本発明によれば、暖房運転開始時に、圧縮機の回転数を抑制する静音制御運転を行うので、使用者の騒音による不快感を軽減することができる。また、暖房能力より騒音抑制を優先する運転を行うための判断条件を多数設けることにより、多様な環境状況に応じた運転制御を提供することができる。さらに、静音制御運転後は、圧縮機の回転数を徐々に上昇させることで騒音をできるだけ抑えながら、暖房能力の不足を補うことができる。
【００２２】
また、静音制御運転モードでは、圧縮機を通常運転回転数に所定割合を乗算した回転数で運転制御するため、低騒音の運転を行いながら、ある程度周囲環境負荷に応じた回転数での運転が可能となる。
【発明を実施するための最良の形態】
【００２３】
以下、本発明に係る空気調和機の実施形態を図面に基づいて説明する。
【００２４】
＜第１の実施形態＞
図１は本発明の実施形態を示すセパレートタイプ空気調和機の外観図、図２は同じく空気調和機の制御ブロック図である。
【００２５】
図１に示すように、本実施形態の空気調和機は、室内の高所に取り付けられている室内機１と室外に設置されている室外機２とは、配管３と接続線（図示せず）により接続される。また、室外機側に設けられた圧縮機４から室外熱交換器（図示せず）、配管３、室内機１側の室内熱交換器（図示せず）および配管３を経て室外機側の圧縮機４に戻る冷媒の循環回路（図示せず）が構成される。そして、室内機側の室内ファン５および室外機の室外ファン６、並びに前記圧縮機４などを制御部１０で制御することにより、少なくとも冷房運転および暖房運転が行えるようになっている。
【００２６】
室内機１には、図２に示すように、室内温度を検知する室内温度検知手段としての室内温度検知サーミスタ７が設けられ、室外機２には、室外気温を検知する室外温度検知手段として室外温度検知サーミスタ８が設けられ、これらの信号は制御部１０に入力される。
【００２７】
制御部１０は、一般的なマイクロコンピュータから構成され、図２に示すように、その入力側に室内温度検知手段７（サーミスタ）、室外温度検知手段８（サーミスタ）、室内温度を設定する温度設定手段９およびタイマー１１が接続される。制御部１０の出力側には前記圧縮機４、室内ファン５、および室外ファン６が接続される。
【００２８】
そして、制御部１０は、入力側の各種情報に基づいて、出力側の圧縮機４、室内ファン５および室外ファン６を運転制御することにより、各種運転モードを実行可能となっている。例えば、制御部１０は、通常運転モードで、圧縮機４を通常運転回転数、つまり制御部１０から指示される周囲環境負荷に応じた回転数（以後、指示回転数と称する）で運転制御する。また、制御部１０は、タイマー運転モードで、第１の時刻から第２の時刻まで運転することもできる。
【００２９】
さらに、制御部１０は、暖房運転開始時に、室内温度検知手段７から検知した室内温度が第１所定温度以上であるときに圧縮機４の回転数を所定回転数以下に抑制する静音制御運転モードで運転制御を行うことができる。
【００３０】
図３は、本実施形態における暖房運転開始時の圧縮機の制御フローチャートである。図に示すように、制御部１０では、暖房運転開始時、Ｓ１０にて室内温度が所定温度（本実施例では１０℃）未満であるかをチェックする。１０℃以上であれば、Ｓ３０にて圧縮機４を抑制回転数（本実施例では５０００ｒｐｍ）以下の回転数にて静音制御運転する。また、１０℃未満であれば、Ｓ２０にて圧縮機４を指示回転数にて運転する。
【００３１】
このように、室内温度がある程度高い場合には、暖房能力より騒音抑制を優先する運転を行う。このように制御することで、使用者が騒音により不快に感じることを軽減することができる。
【００３２】
＜第２の実施形態＞
本発明の第２の実施形態を図１、図２および図４を用いて説明する。図１の説明は前述通りであるので省略する。図２の制御ブロックにおいて、その構成は前述と同様であるので省略するが、制御部１０の機能が異なるので、その異なる部分についてのみ以下に説明する。
【００３３】
制御部１０は、暖房運転開始時に、第１の実施形態のように、室内温度が所定温度以上であるかを判断するのではなく、温度設定手段９により設定した設定温度と室内温度検知サーミスタ７によって検知した室内温度との温度差を演算し、その温度差が所定温度以下であれば、圧縮機４の回転数を所定回転数以下に抑制する静音制御運転を行うようにしている。その他の構成は上記第１の実施形態と同様である。
【００３４】
図４は本実施形態における圧縮機制御フローチャートである。図に示すように、暖房運転開始時、Ｓ１０にて設定温度と室内温度との温度差が所定温度差（本実施例では１５℃）より高いかをチェックする。その温度差が１５℃以下であれば、Ｓ３０にて圧縮機４を抑制回転数（本実施例では５０００ｒｐｍ）以下の回転数にて静音制御運転する。また、１５℃よりも高ければ、Ｓ２０にて圧縮機４を指示回転数にて運転する。
【００３５】
このように、設定温度と室内温度との温度差がある程度小さい場合には、暖房能力より騒音抑制を優先する運転を行う。このように制御することで、使用者が騒音により不快に感じることが軽減される。
【００３６】
＜第３の実施形態＞
本発明の第３の実施形態を図１、図２、図５および図６を用いて説明する。図１の説明は前述通りであるので省略する。図２の制御ブロックにおいて、その構成は前述と同様であるので省略するが、制御部１０の機能が異なるので、その異なる部分についてのみ以下に説明する。
【００３７】
制御部１０は、暖房運転開始時に、
ア）前記室内温度が第１所定温度以上
イ）設定温度と前記室内温度との温度差が第２所定温度以下
ウ）前記室外温度が第３所定温度以上
エ）運転モードがタイマー運転モード
オ）時刻が第１所定時刻から第２所定時刻の間
のいずれかの条件を満たせば、前記圧縮機の回転数を所定回転数以下に抑制する静音制御運転を行う。
【００３８】
時刻は制御部１０に内蔵するタイマー１１を用いてもよく、また、遠隔操作装置１２からの計時信号により動作するようにしてもよい。
【００３９】
図５は遠隔操作装置は正面図である。図に示すように、遠隔操作装置１２は、液晶画面２０と、暖房運転を室内機１へ指示する暖房運転ボタン２１とおやすみ切タイマーボタン２８など、種々の操作ボタンが設けられている。液晶画面２０には現在時刻２５と設定温度２６など様々な情報が表示される。遠隔操作装置１２の各種操作ボタンを押すと、その信号が室内機１側の制御部１０に送信される。例えば、暖房運転ボタン２１を押すと、室内機１側の制御部１０へ暖房運転開始指示を送信するが、このとき、現在時刻２７（本実施例では午後１０：００、すなわち２２：００）のデータも同時に送信される。
【００４０】
また、制御部１０では、「おはよう運転」モードや「おやすみ運転」モードでも運転制御することができる。「おはよう運転」とは、タイマー運転にて希望する時刻に空気調和機の運転を開始するように設定された場合に、設定された時刻には室内温度が設定温度に達するように空気調和機を制御する制御方法である。例えば、設定時刻が０８：００、設定温度が２８℃であったとすると、０８：００には室内温度が２８℃になるように、早めの時刻（例えば、０７：００）に空気調和機の運転を開始する。
【００４１】
また、「おやすみ運転」とは、おやすみ切タイマーボタン２８にて希望する時刻（本実施例では１時間後、３時間後、５時間後、７時間後から選択できる）に空気調和機の運転を停止するように設定された場合に、室内機１に設けられている室内ファンの回転数を下げ、所定時間（例えば、１時間）が経過したら設定温度を緩めるなど、睡眠に適した空気調和機の運転を行う制御方法である。例えば、現在時刻１９：００におやすみ切タイマーが３時間、暖房運転の設定温度が２８℃に設定されたとすると、設定された時点で室内ファンの回転数を下げ、２０：００には設定温度を２７℃に下げ、２２：００に空気調和機の運転を停止する。
【００４２】
図６は、本実施形態における圧縮機制御フローチャートである。図に示すように、暖房運転開始時、Ｓ１０にて外気温度が第３所定温度（本実施例では０℃）未満であるかをチェックする。外気温度が０℃以上であれば、Ｓ７０にて圧縮機を抑制回転数（本実施例では５０００ｒｐｍ）以下の回転数にて静音制御運転する。
【００４３】
外気温度が０℃未満であれば、Ｓ２０にて室内温度が第１所定温度（本実施例では１０℃）未満であるかをチェックする。１０℃以上であれば、Ｓ７０にて圧縮機を抑制回転数（本実施例では５０００ｒｐｍ）以下の回転数にて静音制御運転する。
【００４４】
また、室内温度が１０℃未満であれば、Ｓ３０にて設定温度と室内温度との温度差が第２所定温度（本実施例では１５℃）より高いかをチェックする。その温度差が１５℃以下であれば、Ｓ７０にて圧縮機を抑制回転数（本実施例では５０００ｒｐｍ）以下の回転数にて静音制御運転する。また、温度差が１５℃より高ければ、Ｓ４０にて、現在時刻をチェックする。
【００４５】
前記現在時刻は、図５に示す遠隔操作装置４から室内機１へ送信されるデータに基づいて制御部１０が判断する。暖房運転ボタン２１を押すと制御部１０へ暖房運転開始指示を送信するが、このとき、現在時刻（本実施例では午後１０：００、すなわち２２：００）のデータも同時に送信される。
【００４６】
現在時刻を受信した制御部１０は、Ｓ４０にて現在時刻が第１所定時刻（本実施例では０７：００）から第２所定時刻（本実施例では２０：００）の間であるかをチェックする。本実施例の場合、現在時刻は２２：００であるので、「Ｎｏ」の方向、すなわちＳ７０に進み、圧縮機４を抑制回転数（本実施例では５０００ｒｐｍ）以下の回転数にて静音制御運転する。
【００４７】
もし、現在時刻が１３：００である場合には、「Ｙｅｓ」の方向、すなわちＳ５０に進む。Ｓ５０では、「おはよう運転」中または「おやすみ運転」中でないことをチェックする。
【００４８】
現在の運転状況が、「おはよう運転」中または「おやすみ運転」中であった場合には、Ｓ５０にて「Ｎｏ」の方向、すなわちＳ７０に進み、Ｓ７０にて圧縮機４を抑制回転数（本実施例では５０００ｒｐｍ）以下の回転数にて静音制御運転する。また、「おはよう運転」中または「おやすみ運転」中でない場合には、Ｓ５０にて「Ｙｅｓ」の方向、すなわちＳ６０に進み、Ｓ６０にて圧縮機４を指示回転数にて運転する。
【００４９】
このように、暖房能力より騒音抑制を優先する運転をおこなうための判断条件を多数設けることにより、多様な環境状況に応じた運転を使用者に提供できる。
【００５０】
なお、本実施形態では、遠隔操作装置から現在時刻をそのまま、すなわち２０：００であれば２０：００というデータを制御部１０へ送信しているが、現在時刻が０７：００から２０：００までの間であれば「１」、０７：００から２０：００までの間でなければ「０」としてデータを制御部１０へ送信するようにしてもよく、制御部１０で、時計機能を持たせて運転開始時刻を認識させるようにしてもよい。また、本実施形態では外気温度を運転開始時のみに判断しているが、常時判断するようにしてもよい。さらに、「おはよう運転」や「おやすみ運転」の制御内容は本実施例に限定されるものではなく、就寝状況を想定したものであればどのようなものでもよい。
【００５１】
＜第４の実施形態＞
本発明の第４の実施の形態を図７ないし図９を用いて説明する。本実施形態では、制御部１０は、圧縮機４の回転数を所定回転数以下に抑制する静音制御運転が第１所定時間以上続いた後、前記所定回転数よりも高い回転数で圧縮機４を運転する要求が第２所定時間以上継続したとき、前記圧縮機の回転数を徐々に上昇させるものである。
【００５２】
このような制御は、上記第１の実施形態から第３の実施形態における静音制御運転モードが第１所定時間以上続いた後、夫々の入力信号から演算した圧縮機４の回転数が所定回転数以上であった場合に採用することができる。
【００５３】
図７は、本実施形態における圧縮機の制御フローチャートである。図に示すように、Ｓ１０にて静音制御運転中であるかをチェックする。静音制御運転中でない場合は、何もせずに本フローから抜ける。静音制御運転中である場合には、Ｓ２０にて静音制御運転開始から第１所定時間（本実施例では２時間）が経過したかを判定する。
【００５４】
２時間経過していなければ、Ｓ５０にて圧縮機を抑制回転数（本実施例では５０００ｒｐｍ）以下の回転数にて静音制御運転する。２時間経過していれば、Ｓ３０にて抑制回転数より高い指示回転数が指示されていないかをチェックする。
【００５５】
本実施形態では、指示回転数は図８に示すように、ＦＤ１からＦＤ１２までの１２段階で与えるようになっている。この指示回転数は制御部１０の内蔵メモリに記憶されている。
【００５６】
例えば、指示回転数としてＦＤ５（４０００ｒｐｍ）が選択されていたとする。ＦＤ５は抑制回転数（５０００ｒｐｍ）より低いので、Ｓ３０にて「Ｎｏ」の方向、すなわちＳ５０に進み、Ｓ５０にて圧縮機を抑制回転数（本実施例では５０００ｒｐｍ）以下の回転数にて静音制御運転する。本実施例の場合はＦＤ５（４０００ｒｐｍ）で圧縮機を運転する。
【００５７】
一方、指示回転数としてＦＤ９（６３００ｒｐｍ）が選択されていたとすると、ＦＤ９は抑制回転数（５０００ｒｐｍ）より高いので、Ｓ３０にて「Ｙｅｓ」の方向、すなわちＳ４０に進む。Ｓ４０では圧縮機の回転数を指示回転数のＦＤに向けて、５分経過する毎に１ＦＤずつ上昇させていく。
【００５８】
図９は本実施形態における圧縮機の回転数の推移例である。暖房運転開始時の指示回転数はＦＤ９（６３００ｒｐｍ）であり、１３３分後にＦＤ５（４０００ｒｐｍ）に変更され、且つ静音制御運転が行われている場合の圧縮機４の回転数の推移を表している。
【００５９】
暖房運転開始後、圧縮機４は指示回転数であるＦＤ９（６３００ｒｐｍ）に向けて回転数を上昇させるが、静音制御運転中であるため、圧縮機の回転数は５０００ｒｐｍで１２０分間運転される。
【００６０】
１２０分経過後、依然として指示回転数はＦＤ９（６３００ｒｐｍ）であるので、５分経過した後に、圧縮機の回転数をＦＤ７（５３００ｒｐｍ）に上昇させ、さらに５分後、ＦＤ８（６０００ｒｐｍ）に上昇させる。しかし、３分後（運転開始から１３３分後）に指示回転数はＦＤ５（４０００ｒｐｍ）に変更されているので、圧縮機の回転数は４０００ｒｐｍへ向けて徐々に下降する。
【００６１】
このように、暖房能力より騒音抑制を優先する運転を行ったために、部屋の温度がなかなか暖まらない場合において、圧縮機の回転数を徐々に上昇させることで騒音をできるだけ抑えながら、暖房能力の不足を補うことができる。
【００６２】
＜第５の実施形態＞
本発明の第５の実施形態を図１、図２および図１０を用いて説明する。図１の説明は前述通りであるので省略する。図２の制御ブロックにおいて、その構成は前述と同様であるので省略するが、制御部１０の機能が異なるので、その異なる部分についてのみ以下に説明する。
【００６３】
制御部１０は、暖房運転開始時に、室温検知サーミスタから入力した室内温度が第１所定温度未満であれば、圧縮機４を通常運転回転数で運転制御し、室内温度が前記第１所定温度以上であれば、前記圧縮機を通常運転回転数に所定割合を乗算した回転数で運転制御する。
【００６４】
図１０は本実施形態における圧縮機制御フローチャートである。この制御は、図３に示すフローチャートとＳ３０の処理内容のみが異なる。その制御を説明すると、Ｓ１０にて室内温度が所定温度（本実施例では１０℃）未満であるかをチェックする。１０℃未満であれば、Ｓ２０にて圧縮機４を指示回転数にて運転する。
【００６５】
室内温度が１０℃以上であれば、Ｓ３０にて圧縮機４を抑制回転数（本実施例では５０００ｒｐｍ）以下の回転数にて静音制御運転する。この静音制御運転は、圧縮機４の回転数を、指示回転数（通常運転回転数）に所定割合（本実施例では０．８）を乗算した回転数で運転する。例えば、指示回転数が図８に示すＦＤ１２（７０００ｒｐｍ）であった場合、静音制御運転での回転数は、
静音制御運転での回転数＝７０００×０．８＝５６００
すなわち、５６００ｒｐｍとなる。
【００６６】
このような制御を行うことにより、低騒音の運転を行いながら、ある程度周囲環境負荷に応じて回転数を変化する運転が行えるので、圧縮機の回転数を一定以下に抑制するだけの制御に比べて、室内温度の制御性が良く利便性がよくなる。
【００６７】
＜第６の実施形態＞
本発明の第６の実施形態を図１、図２および図１１を用いて説明する。図１の説明は前述通りであるので省略する。図２の制御ブロックにおいて、その構成は前述と同様であるので省略するが、制御部１０の機能が異なるので、その異なる部分についてのみ以下に説明する。
【００６８】
制御部１０は、暖房運転開始時に、温度設定手段により設定した設定温度と室温検知サーミスタからの入力した室内温度との温度差を演算し、その温度差が所定温度差より大きければ、圧縮機４を通常運転回転数で運転制御し、設定温度と室内温度との温度差が第２所定温度差以下であれば、圧縮機４を通常運転回転数に所定割合を乗算した回転数で運転制御する。
【００６９】
図１１は本実施形態における圧縮機制御フローチャートである。この制御は、図４に示すフローチャートとＳ３０の処理内容のみが異なる。その制御を説明すると、図１１に示すように、暖房運転開始時、Ｓ１０にて設定温度と室内温度との温度差が所定温度差（本実施例では１５℃）より高いかをチェックする。その温度差が１５℃よりも高ければ、Ｓ２０にて圧縮機４を指示回転数にて運転する。
【００７０】
温度差が１５℃以下であれば、上記第５の実施形態と同様に、Ｓ３０にて圧縮機４の回転数を、指示回転数（通常運転回転数）に所定割合（本実施例では０．８）を乗算した回転数で運転する。例えば、指示回転数が図８に示すＦＤ１２（７０００ｒｐｍ）であった場合、静音制御運転での回転数は、５６００ｒｐｍで静音制御運転を行う。
【００７１】
このように制御することにより、低騒音の運転を行いながら、ある程度周囲環境負荷に応じて回転数を変化する運転が行える。
【００７２】
＜第７の実施形態＞
本発明の第７の実施形態を図１、図２および図１２を用いて説明する。図１の説明は前述通りであるので省略する。図２の制御ブロックにおいて、その構成は前述と同様であるので省略するが、制御部１０の機能が異なるので、その異なる部分についてのみ以下に説明する。
【００７３】
制御部１０は、暖房運転開始時に、ア）前記室内温度が第１所定温度以上、イ）設定温度と前記室内温度との温度差が第２所定温度以下、ウ）前記室外温度が第３所定温度以上、エ）運転モードがタイマー運転モード、オ）時刻が第１所定時刻から第２所定時刻の間、のいずれかの条件を満たさないときは、圧縮機４を通常運転回転数で運転制御し、前記条件のうち少なくとも１つを満たせば、圧縮機４を通常運転回転数に所定割合を乗算した回転数で運転制御する。
【００７４】
図１２は本実施形態における圧縮機の制御フローチャートである。この制御は図６のフローチャートとほぼ同じ内容で、異なる部分はＳ７０の処理内容のみである。したがって、以下の説明において、図６のフローチャートと同じ内容の部分は説明を省略し、異なる部分についてのみ説明する。
【００７５】
つまり、前記条件のうち少なくとも１つを満たす静音制御運転の条件になると、Ｓ７０に移行し、圧縮機（図示しない）の回転数を、指示回転数（通常運転回転数）に所定割合（本実施例では０．８）を乗算した回転数で運転する。例えば、指示回転数が図８に示すＦＤ１２（７０００ｒｐｍ）であった場合、静音制御運転での回転数は、その所定割合（０．８）を乗算して得られた５６００ｒｐｍで運転制御する。
【００７６】
このように制御することにより、低騒音の運転を行いながら、ある程度周囲環境負荷に応じて回転数を変化する運転が行えるので、圧縮機の回転数を一定以下に抑制するだけの制御に比べて、室内温度の制御性が良く利便性がよくなる。
【００７７】
＜第８の実施形態＞
本発明の第８の実施の形態を図１３を用いて説明する。本実施形態における制御部１０は、圧縮機４を通常運転回転数に所定割合を乗算した回転数で運転する運転が所定時間以上続いた後、設定温度と室内温度との温度差が第４所定温度以上であれば、前記所定割合を徐々に上昇させる。
【００７８】
図１３は、本実施形態における圧縮機の制御フローチャートである。本実施形態では、図７の制御フローチャートに示す制御とほぼ同じ内容であり、異なる部分はＳ３０とＳ４０とＳ５０の処理内容である。同じ内容の部分は説明を省略し、異なる部分についてのみ説明する。
【００７９】
Ｓ３０では、設定温度と室内温度との温度差が第４所定温度（本実施例では０．６７℃）以上であるかをチェックする。温度差が０．６７℃未満であれば、Ｓ５０に進み、Ｓ５０にて圧縮機４の回転数を、指示回転数（通常運転回転数）に所定割合（本実施例では０．８）を乗算した回転数で運転する。温度差が０．６７℃以上であれば、Ｓ４０に進む。Ｓ４０では圧縮機の指示回転数に乗算する所定割合を、５分経過する毎に０．０５ずつ上昇させていく。
【００８０】
ただし、所定割合が１．０以上にはならないように制御する。例えば、最初の所定割合が０．８であった場合は、最初の５分経過後の所定割合は０．８＋０．０５＝０．８５となる。
【００８１】
このように、暖房能力より騒音抑制を優先する運転を行ったために、室内の温度がなかなか暖まらない場合において、所定割合を徐々に上昇させることで、騒音をできるだけ抑えながら、暖房能力の不足を補うことができる。
【００８２】
なお、所定割合の数値は本実施形態に限定されるものではない。また、所定割合に関しては、所定回転数を指示回転数から減算する方法も考えられる。この場合、所定回転数は一定でも良く、あるいは指示回転数に応じて変化させてもよい。
【００８３】
以上、すべての実施形態は一例に過ぎず、空気調和機の具体的な構成、フローチャート手順、第１所定温度、第２所定温度、第３所定温度、第４所定温度、第１所定時刻、第２所定時刻、抑制回転数、指示回転数、ＦＤと指示回転数の関係などについても、本実施形態に限定されるものではなく、本発明の範囲内で適宜変更できることはもちろんである。
【図面の簡単な説明】
【００８４】
【図１】本発明の実施形態を示すセパレートタイプ空気調和機の外観図
【図２】同じく空気調和機の制御ブロック図
【図３】本発明の第１の実施形態を示す暖房運転開始時の圧縮機の制御フローチャート
【図４】本発明の第２の実施形態を示す暖房運転開始時の圧縮機の制御フローチャート
【図５】本発明の第３の実施形態を示す遠隔操作装置の正面図
【図６】第３の実施形態を示す暖房運転開始時の圧縮機の制御フローチャート
【図７】本発明の第４の実施形態を示す暖房運転開始時の圧縮機の制御フローチャート
【図８】ＦＤと指示回転数の関係を示す図
【図９】第４の実施形態における圧縮機の回転数の推移例を示す図
【図１０】本発明の第５の実施形態を示す暖房運転開始時の圧縮機の制御フローチャート
【図１１】本発明の第６の実施形態を示す暖房運転開始時の圧縮機の制御フローチャート
【図１２】本発明の第７の実施形態を示す暖房運転開始時の圧縮機の制御フローチャート
【図１３】本発明の第８の実施形態を示す暖房運転開始時の圧縮機の制御フローチャート
【符号の説明】
【００８５】
１    室内機
２    室外機
３    配管
４    圧縮機
５    室内ファン
６    室外ファン
７    室内温度検知手段（室内温度検知サーミスタ）
８    室外温度検知手段（室外温度検知サーミスタ）
９    温度設定手段
１０    制御部
１１    タイマー
１２    遠隔操作装置（リモコン）
【図１】
2005147504.tif 000003
【図２】
2005147504.tif 000004
【図３】
2005147504.tif 000005
【図４】
2005147504.tif 000006
【図５】
2005147504.tif 000007
【図６】
2005147504.tif 000008
【図７】
2005147504.tif 000009
【図８】
2005147504.tif 000010
【図９】
2005147504.tif 000011
【図１０】
2005147504.tif 000012
【図１１】
2005147504.tif 000013
【図１２】
2005147504.tif 000014
【図１３】
2005147504.tif 000015